(57)【要約】【課題】  本発明では、制御プログラム等を追加することなく、情報機器の操作によって、複数の情報機器の出力を選択し出力することができる出力切替装置を提供することを目的とする。【解決手段】  複数の情報機器からの入力を選択して出力する出力切替装置であって、前記複数の情報機器の各入力モードの変更を検出するステータス信号検出部１３，１４，１５と、前記ステータス信号検出部１３，１４，１５により入力モードの変更が検出された情報機器からの入力を選択し切り替える切替制御部１６と、前記ステータス検出部１３，１４，１５により入力モードの変更が検出された情報機器からの入力を選択する映像信号選択部２０と、前記映像信号選択部２０により選択された入力を出力する選択映像出力端子２１を有する【選択図】  図２ 
2005078496.tif 000002
【特許請求の範囲】
【請求項１】
複数の情報機器からの入力を選択して出力する出力切替装置において、
前記複数の情報機器の各入力モードの変更を検出する検出部と、
前記検出部により入力モードの変更が検出された情報機器からの入力を選択する選択部と、
前記選択部により選択された入力を出力する出力部を有することを特徴とする出力切替装置。
【請求項２】
該検出部で入力モードの変更があった情報機器の出力に切り替え、
該情報機器において、他の種類の入力モードの変更があったとき、他の情報機器に切り替えることを禁止する請求項１に記載の出力切替装置。
【請求項３】
該検出部は入力モードが複数回、変更した情報機器を検出し、該選択部は該検出部により複数回の変更が検出された情報機器の出力を選択することを特徴とする請求項１又は２に記載の出力切替装置。
【請求項４】
複数の情報機器からの入力を選択して出力する出力切替プログラムにおいて、
前記複数の情報機器の各入力モードの変更を検出する検出ステップと、
前記検出部により入力モードの変更が検出された情報機器からの入力を選択する選択ステップと
を実行させる出力切替プログラム。
【請求項５】
複数の情報機器からの入力を選択して出力する出力切替プログラムにおいて、
前記複数の情報機器の各入力モードの変更を検出する検出ステップと、
前記検出部により入力モードの変更が検出された情報機器からの入力を選択する選択ステップと
を実行させる出力切替プログラムを記録したコンピュータ読み取り可能な記録媒体。
【請求項６】
複数の情報機器の出力を切り替えて出力する情報機器切り替えにおいて、
複数の情報機器を検出し、入力モードが変更された情報機器を通知し、
通知された該情報機器の出力を選択し、切り替える出力切り替え方法。
【発明の詳細な説明】
【技術分野】
【０００１】
本発明は、複数の情報機器からの入力を選択して出力する、出力切替装置に関するものである。
【背景技術】
【０００２】
近年、パーソナルコンピュータ等の情報機器の多様化、普及に伴って、プレゼンテーション等の発表にパーソナルコンピュータを用いる機会が増えてきている。
【０００３】
そのため、パーソナルコンピュータを用いてプレゼンテーションをする場合、映像出力装置であるプロジェクタ等は通常一つであるため、発表者が変わる度に、発表者が持ち込んだパーソナルコンピュータを、プロジェクタ等に接続し直さなければならない。
【０００４】
従来は、パーソナルコンピュータを切り替える場合に、プロジェクタ等に接続し直さなければならない煩わしさを回避するために、出力切替装置が用いられていた。
【０００５】
図１に従来の出力切替装置の一例を示す。図１では、情報機器としてパーソナルコンピュータ、映像出力装置はプロジェクタとする。出力切替装置は、パーソナルコンピュータの映像信号を選択して、プロジェクタに出力する。
【０００６】
出力切替装置２４には、三台のパーソナルコンピュータ２、３、４とプロジェクタ５が接続されている。そして出力切替装置２４には、出力切替スイッチ２３が設けられている。
【０００７】
各パーソナルコンピュータは、入力操作をするキーボード６，７，８がキーボード入力端子９で接続されている。各パーソナルコンピュータ２，３，４の映像出力端子１１は出力切替装置２４の映像入力端子１２と接続されている。
【０００８】
前記出力切替装置２４は、選択映像出力端子２１を有し、前記選択映像出力端子２１は、プロジェクタ５の映像入力端子２２と接続されている。
【０００９】
前記構成の出力切替システムは、情報切替スイッチ２２によって選択されたパーソナルコンピュータ２，３，４から出力されるいずれかの映像信号をプロジェクタ５へ出力する。
他の出力切替手段としては、パーソナルコンピュータのそれぞれと出力切替装置間に、出力切替専用のコントロールケーブルを設け、パーソナルコンピュータの操作によって、パーソナルコンピュータの映像信号の切替を行っていた。
【００１０】
従来の装置では、プレゼンテーション等の発表にパーソナルコンピュータを使用する場合は、出力切替装置を設置し、出力切替スイッチ２３や出力切替専用のコントロールケーブルを用いて、パーソナルコンピュータからの出力の切り替えてプロジェクタ５等の表示装置に出力していた。
【００１１】
上記出力切替装置を用いることによって、プレゼンテーション等の発表にパーソナルコンピュータを使用するに際し、発表者が変わる度にパーソナルコンピュータをプロジェクタに接続し直すという手間を省くことができる。
【００１２】
さらにプロジェクタ、パーソナルコンピュータは、何度ものコネクタの抜き差し不要になるので、それらのコネクタ接点の不良発生も防ぐことができる。
また、他の出力切替装置に関する先行文献として、次のようなものがある。
【非特許文献１】“CPU切替器”、[online]、[平成15年7月１日検索]、インターネット＜URL：http://www.arvel.co.jp/equip/chg/usbcpu/acscpu2h6.html＞  非特許文献１における出力切替装置は、一組のキーボード、ディスプレイ、マウスで複数のパーソナルコンピュータを操作することを目的とし、当該、出力切替装置は、複数のパーソナルコンピュータを接続でき、さらにパーソナルコンピュータからの映像信号を出力するディスプレイと、パーソナルコンピュータを操作するキーボードとマウスを接続することができる構造になっている。
【００１３】
そして出力切替装置上に設けられた出力切替スイッチ、または、キーボード上の特定のキーによってパーソナルコンピュータを切り替えることができる。
【発明の開示】
【発明が解決しようとする課題】
【００１４】
しかし、出力切替スイッチで切替操作する装置は、出力切替スイッチが出力切替装置上に設けられているので、各々のパーソナルコンピュータからの操作により切替操作することができなかった。
【００１５】
そのため出力切替装置とパーソナルコンピュータが離れている場合、特定のパーソナルコンピュータを選択して映像信号を出力するには、パーソナルコンピュータから離れている出力切替装置を操作する人員を新たに設けるなどしなければならなかった。
【００１６】
また出力切替専用のコントロールケーブルを各パーソナルコンピュータに接続して、パーソナルコンピュータの場所から切替操作を行うことができるようにした場合においても、出力切替制御のための制御プログラムがパーソナルコンピュータに必要だった。
【００１７】
本発明では、制御プログラム等を追加することなく、情報機器の操作によって、複数の情報機器の出力を選択し出力することができる出力切替装置を提供することを目的とする。
【課題を解決するための手段】
【００１８】
上記の課題を解決するために、請求項１に記載の発明は、複数の情報機器からの入力を選択して出力する出力切替装置であって、前記複数の情報機器の各入力モードの変更を検出する検出部と、前記検出部により入力モードの変更が検出された情報機器からの入力を選択する選択部と、前記検出部により入力モードの変更が検出された情報機器からの入力を選択し切り替える切替部と、前記選択部により選択された入力を出力する出力部を有することを特徴とする。
【００１９】
請求項２に記載の発明は、複数の情報機器からの入力を選択して出力する出力切替装置であって、該検出部で入力モードの変更があった情報機器の出力に切り替え、該情報機器において、他の種類の入力モードの変更があったとき、他の情報機器に切り替えることを禁止することを特徴とする。
【００２０】
請求項３に記載の発明は、複数の情報機器からの入力を選択して出力する出力切替装置であって、該検出部は入力モードが複数回、変更した情報機器を検出し、該選択部は該検出部により複数回の変更が検出された情報機器の出力を選択することを特徴とする。
【００２１】
請求項４に記載の発明は、複数の情報機器からの入力を選択して出力する出力切替プログラムであって、複数の情報機器からの入力を選択して出力する出力切替プログラムにおいて、前記複数の情報機器の各入力モードの変更を検出する検出ステップと、前記検出部により入力モードの変更が検出された情報機器からの入力を選択する選択ステップとを実行させることを特徴とする。
【００２２】
請求項５に記載の発明は、複数の情報機器からの入力を選択して出力する出力切替プログラムを記録したコンピュータ読み取り可能な記録媒体であって、複数の情報機器からの入力を選択して出力する出力切替プログラムにおいて、前記複数の情報機器の各入力モードの変更を検出する検出ステップと、前記検出部により入力モードの変更が検出された情報機器からの入力を選択する選択ステップとを実行させる出力切替プログラムを記録したことを特徴とする。
【００２３】
請求項６に記載の発明は、複数の情報機器からの入力を選択して出力する出力切替方法であって、複数の情報機器の出力を切り替えて出力する情報機器切り替えにおいて、複数の情報機器を検出し、入力モードが変更された情報機器を通知し、通知された該情報機器の出力を選択し、切り替えることを特徴とする。
【発明の効果】
【００２４】
本発明によれば、情報機器の入力モードの変更を検出した場合に情報機器の切替制御を行うため、従来のような制御プログラムを必要とせず、または出力切替装置を直接操作することなく、情報機器の切替制御が可能になる。
【発明を実施するための最良の形態】
【００２５】
以下本発明の具体的な実施の形態を、図面を参照して説明する。
【００２６】
図２は、本発明の実施形態における出力切替のブロック図である。
【００２７】
図２中で１は出力切替装置、２，３，４はパーソナルコンピュータ、５はプロジェクタである。
【００２８】
出力切替装置１は、ステータス信号検出部１３，１４，１５、切替制御部１６、映像信号選択部２０、映像入力端子１２及び選択映像出力端子２１を有する。そして切替制御部１６は、プログラム格納部１７、プログラム処理部１８及び切替記憶部１９から構成される。映像入力端子１２及び選択映像出力端子２１は、D-sub端子、あるいはDVI端子を用いる。
【００２９】
パーソナルコンピュータ２，３，４は、キーボード入力端子９、外部キーボード入力端子１０、及び映像出力端子１１を備える。キーボード入力端子９及び外部キーボード入力端子１０は、PS/２端子あるいはUSB端子を用いる。キーボード入力端子９には、従来のキーボード６，７，８が接続される。映像出力端子１１はD-sub端子、あるいはDVI端子を用いる。
【００３０】
プロジェクタ５は、映像入力端子２２を有しており、この映像入力端子２２はD-sub端子、あるいはDVI端子を用いる。
【００３１】
映像入力端子１２は、映像出力端子１１と接続する。
【００３２】
ステータス信号検出部１３，１４，１５は、パーソナルコンピュータ２，３，４の外部キーボード入力端子１０と接続する。
【００３３】
選択映像出力端子２１は、プロジェクタ５の映像入力端子２２と接続する。
【００３４】
前記ステータス信号検出部１３，１４，１５は、パーソナルコンピュータ２，３，４から送信されるキーボード制御信号を検出する。
【００３５】
切替制御部１６は、プログラム格納部１８に記録された出力切替プログラムをプログラム処理部１７に読み出し、ステータス信号検出部１３，１４，１５の検出結果を前記プログラム処理部１７によって処理し、パーソナルコンピュータ２，３，４のうち、いずれかの映像出力をプロジェクタ５に出力するのか決定する。
【００３６】
切替記憶部１９は、切替制御のプログラムや、出力切替装置１の切替状態を記憶する。
【００３７】
映像信号選択部２０は、パーソナルコンピュータ２，３，４の映像出力を映像入力端子１２を介して受信し、切替制御部１６が決定した映像出力に該当する映像入力端子１２の入力を選択映像出力端子２１に出力する。
【００３８】
本発明では、パーソナルコンピュータにキーボードが複数接続されている場合、Ｗｉｎｄｏｗｓ（登録商標）等のオペレーションシステムは、CapsLock 、ScrollLock 、NumLockの３キーの入力モードが全てのキーボードで同じと認識することを応用する。
【００３９】
ある一つのキーボードで、入力モード切替キーであるCapsLock、ScrollLock、NumLockの３キーを入力すると、パーソナルコンピュータはそれぞれCapsLock、ScrollLock、NumLockの３キーの要求にあわせて、全てのキーボードに入力モードを変更するステータス信号を送信する。これにより全てのキーボードで入力モードが同じになる。
【００４０】
それぞれのキーに対する信号をCapsLockステータス信号、ScrollLockステータス信号、NumLockステータス信号と呼ぶ。
【００４１】
またCapsLock、ScrollLock、NumLockキーの入力によって変更されるキーボードの入力モードをそれぞれ、CapsLockステータス、ScrollLockステータス、NumLockステータスと呼ぶ。
【００４２】
本発明の出力切替装置は、パーソナルコンピュータにキーボードと接続され、パーソナルコンピュータからステータス信号が送信されるようにしたものである。
【００４３】
ステータス信号がパーソナルコンピュータから送信される出力切替装置の動作について説明する。
【００４４】
例えばパーソナルコンピュータ２を操作する発表者が、パーソナルコンピュータ２の映像信号をプロジェクタ５に表示したい場合、発表者はキーボード６でCapsLockキーを連続入力する。パーソナルコンピュータ２はCapsLockステータス信号をキーボード６に連続送信すると同時に、パーソナルコンピュータ２が類似的なキーボードとして認識しているステータス信号検出部１３へも、CapsLockステータス信号を連続送信する。
【００４５】
ここでいう連続送信とは、一秒間以内にCapsLock、ScrollLock、NumLockいずれか同じキーからのステータス信号を２回送信したこととする。
【００４６】
ステータス信号検出部１３はCapsLockステータス信号を連続受信すると、切替制御部１６は、プログラム格納部１８に記録された出力切替プログラムを読み出し、プログラム処理部１７によってパーソナルコンピュータ２の映像出力をプロジェクタ５に出力することを決定する処理を行う。
【００４７】
切替記憶部１９は、出力切替装置１の切替状態を記憶する。
【００４８】
映像信号選択部２０は、切替制御部１６が決定したパーソナルコンピュータ２の映像出力を選択映像出力端子２１に出力する。
【００４９】
本発明では、ステータス信号検出部１３、１４、１５がステータス信号を連続受信したとき入力切替を要求をするようにする。
【００５０】
入力モード切替キーであるCapsLock、ScrollLock、NumLockの３キーは、入力モードの変更に使用するので、ステータス信号を受信する毎に出力切替装置１が映像信号を切り替えると、パーソナルコンピュータの入力操作に支障をきたす。そこで、出力切替装置１が同じステータス信号を連続受信した場合、つまり同じ入力モードを連続して操作したときだけ、映像信号を切り替える。こうすることで、利用者は、入力モード切替キーを従来の入力モード切り替えにも利用しつつ、出力切替装置１の操作にも利用することができる。さらに情報機器切り替え装置１が、複数回のステータス信号を受信したときに映像信号を切り替えると、利用者の切り替え操作後、入力モードは切替操作と同じ状態になり、利用者は入力操作を引き続き行うことができる。
【００５１】
このようにして複数のパーソナルコンピュータ２，３，４が有しているそれぞれの情報のなかから、パーソナルコンピュータ２，３，４上からの操作によって、特定の情報を操作選択することができる。
【００５２】
本発明でパーソナルコンピュータ２，３，４の切替制御に応用する、複数のキーボードが接続されているパーソナルコンピュータ２，３，４で、ステータス信号がある特定のキーボードに送信されると、他のすべてのキーボードにもステータス信号が送信されることを具体的に図３に示す。                                                          
【００５３】
複数キーボードが接続された状態でCapsLockキーが入力され、CapsLockステータスがOFFからONになった場合のキーボードのフローチャートを図２に示す。
【００５４】
ここでCapsLockステータスがONの状態は、キーボードでアルファベット入力をした場合、大文字表示される状態とする。
【００５５】
最初にCapsLockキーが入力されると、キーボードは、パーソナルコンピュータから発光ダイオードを点灯させる準備の合図であるLED信号を受信する（ステップ３０１）。
【００５６】
キーボードがCapsLockステータス変更可能であれば、OKサインであるACK信号をパーソナルコンピュータに送信する（ステップ３０２）。
【００５７】
キーボードは、パーソナルコンピュータにACK信号に送信したらCapsLockステータス信号をキーボードへ受信する。これによってCapsLockステータスがOFFからONに変更される（ステップ３０３）。
【００５８】
通常、複数のキーボードが接続されたパーソナルコンピュータは、一つしか認識できない。
【００５９】
このため、ある一つのキーボードにおいて、CapsLock、ScrollLock、NumLockの３つのキーを入力した場合、キーボードのステータスが変更されると、パーソナルコンピュータは、接続されているキーボード全てに対してステータス変更のコマンドであるステータス信号を送信する。
【００６０】
例えば、ある一つのキーボードにおいて、CapsLockキーが入力され、アルファベット入力で小文字入力から大文字入力にステータスを変更すると、他のキーボードすべてのアルファベット入力が大文字入力のステータスに変更することができる。
【００６１】
出力切替装置１内のステータス信号検出部１３，１４，１５がパーソナルコンピュータ２，３，４からステータス信号を受信するときのフローチャートを図４に示す。
【００６２】
ステータス信号検出部１３，１４，１５がパーソナルコンピュータ２，３，４からステータス信号を受信するために待機している（ステップ４０１）。
【００６３】
そして、発表者は、ある特定のパーソナルコンピュータの情報信号に切り替えたいときに、その特定のパーソナルコンピュータに接続されているキーボードのCapsLockキーを入力する。そしてステータス信号検出部は、パーソナルコンピュータから発光ダイオードを点灯させる準備の合図であるLED信号を受信する（ステップ４０２）。
【００６４】
そして、ステータス信号検出部は、CapsLockステータス変更可能であれば、OKサインであるACK信号をパーソナルコンピュータに送信する（ステップ４０３）。
【００６５】
パーソナルコンピュータはACK信号を受信したらCapsLockステータス信号を出力切替装置１へと送信する。
【００６６】
ここで、ステータス信号検出部は、CapsLockステータス信号を連続受信した場合（ステップ４０４）、切替制御部１６に対して、CapsLockステータス信号を連続送信したパーソナルコンピュータの映像信号をプロジェクタ５によって出力することを要求する（ステップ４０５）。
【００６７】
また、ステータス信号検出部は、ScrollLockステータス信号を連続受信した場合（ステップ４０６）、切替制御部に対して、他のパーソナルコンピュータからの要求を禁止する、切替禁止要求をする（ステップ４０７）。
【００６８】
そして、ステータス信号検出部は、CapsLockステータス信号、ScrollLockステータス信号、共に連続受信していなければ切替制御を実行せず（ステップ４０８）、ステップ４０１の待機状態に戻る。
【００６９】
例えば、CapsLockステータス信号等を一回だけ受信した場合や、NumLockステータス信号を受信した場合は、切替制御は行わない。
【００７０】
次に図５において、出力切替装置に三台のパーソナルコンピュータが接続されている場合の出力切替装置内に設けられた切替制御部１６の出力切替プログラムのフローチャートを示す。
【００７１】
図５中のP1、P2、P3はそれぞれパーソナルコンピュータ２，３，４を表す。そして初期状態としてプロジェクタ５にはまだ何も出力されていないとする。
【００７２】
まず、切替制御部１６がステータス信号検出部１３，１４，１５からの要求、切替禁止要求を待って待機している（ステップ５０１）。
【００７３】
切替制御部１６が、パーソナルコンピュータ２から要求されると（ステップ５１１）、切替制御部１６は、映像信号選択部２０に、パーソナルコンピュータ２の映像信号を選択する命令を出し、パーソナルコンピュータ２の映像信号をプロジェクタ５によって出力する（ステップ５１２）。このとき切替制御部の切替記憶部１９は、パーソナルコンピュータ２の出力に切り替えたことを記憶する。
【００７４】
切替制御部１６に、パーソナルコンピュータ２から切替禁止要求されると（ステップ５１３）、切替制御部１６は、映像信号選択部２０がプロジェクタ５にパーソナルコンピュータ２の映像信号を出力しているのか切替記憶部１９をみて判断する（ステップ５１４）。
【００７５】
パーソナルコンピュータ２の映像信号が出力されている場合は、パーソナルコンピュータ２の映像信号からプロジェクタ５への出力を固定する（ステップ５１５）。パーソナルコンピュータ２の映像信号が出力されていなければ、切替禁止要求は実行されない（ステップ５１６）。
【００７６】
同様に、切替制御部１６が、パーソナルコンピュータ３から要求されると（ステップ５２１）、切替制御部１６は、映像信号選択部２０に、パーソナルコンピュータ３の映像信号を選択する命令を出し、パーソナルコンピュータ３の映像信号をプロジェクタ５によって出力する（ステップ５２２）。このとき切替制御部の切替記憶部１９は、パーソナルコンピュータ３の出力に切り替えたことを記憶する。
【００７７】
切替制御部１６に、パーソナルコンピュータ３から切替禁止要求されると（ステップ５２３）、切替制御部１６は、映像信号選択部２０がプロジェクタ５にパーソナルコンピュータ３の映像信号を出力しているのか切替記憶部１９をみて判断する（ステップ５２４）。
【００７８】
パーソナルコンピュータ３の映像信号が出力されている場合は、パーソナルコンピュータ３の映像信号からプロジェクタ５への出力を固定する（ステップ５２５）。パーソナルコンピュータ３の映像信号が出力されていなければ、切替禁止要求は実行されない（ステップ５２６）。
【００７９】
また同様に、切替制御部１６が、パーソナルコンピュータ４から要求されると（ステップ５３１）、切替制御部１６は、映像信号選択部２０に、パーソナルコンピュータ４の映像信号を選択する命令を出し、パーソナルコンピュータ４の映像信号をプロジェクタ５によって出力する（ステップ５３２）。このとき切替制御部の切替記憶部１９は、パーソナルコンピュータ４の出力に切り替えたことを記憶する。
【００８０】
切替制御部１６に、パーソナルコンピュータ４から切替禁止要求されると（ステップ４３３）、切替制御部１６は、映像信号選択部２０がプロジェクタ５にパーソナルコンピュータ４の映像信号を出力しているのか切替記憶部１９をみて判断する（ステップ５３４）。
【００８１】
パーソナルコンピュータ４の映像信号が出力されている場合は、パーソナルコンピュータ４の映像信号からプロジェクタ５への出力を固定する（ステップ５３５）。パーソナルコンピュータ４の映像信号が出力されていなければ、切替禁止要求は実行されない（ステップ５３６）。
【００８２】
いずれのパーソナルコンピュータから、要求も切替禁止要求なければ、切替制御部１６は、ステータス信号に関わるコマンドを破棄し（ステップ５０２）、ステップ５０１に戻り、ステータス信号検出部１３，１４，１５からの信号を待ち、待機している。
次に、以上述べた本発明の出力切替装置の実施形態の変形例、その他の技術的な拡張事項等を以下に列挙する。
【００８３】
（１）  上記実施形態では、情報機器としてパーソナルコンピュータを例にとって説明したが、本発明は、携帯電話機、パーソナル・ハンディホン・システム、パーソナル・デジタル・アシスタント、ノート型パーソナルコンピュータにも適用できるものであり、実施形態のパーソナルコンピュータに限定されるものではない。
【００８４】
（２）上記実施形態では、CapsLockキーを用いて、切替制御部に要求し、ScrollLockキーを用いて切替制御部に切替禁止要求する。これはNumLockキーを用いて、要求、切替禁止要求をしてもよいし、CapsLock、ScrollLock、NumLockの３キーの任意の２つのキーに要求、切替禁止要求を割り当てればよい。
【００８５】
またCapsLock、ScrollLock、NumLockの３キーと他のキーを組み合わせて、要求、切替禁止要求をしてもよい
さらに将来、キーボードなどの情報機器操作部において、CapsLock、ScrollLock、NumLockの３キーのような情報機器操作部に信号を送信する新たなキーが設けられた場合は、それらのキーを用いて出力切替装置を制御してもよい。
【００８６】
（３）  上記実施形態では、三台のパーソナルコンピュータと出力切替装置を接続した場合を示したが、パーソナルコンピュータの台数は三台に限られず、また複数のパーソナルコンピュータと複数の他の情報機器を混在して出力切替装置に接続してもよい。
【００８７】
（４）  上記実施形態では、情報機器から出力切替装置に入力される情報として映像信号を例にとって説明したが、本発明は、聴覚的な情報等にも適用できるものであり、実施形態の映像に限定されるものではない。
【００８８】
（５）  上記実施形態では、パーソナルコンピュータと出力切替装置を接続する端子としてそれぞれ、ＰＳ/２コネクタ、外部キーボード入力端子を例にとって説明したが、将来、情報機器の端子と新たな端子が標準装備されるようであればそれらの新たな端子を用いてもよい。
【００８９】
（６）  上記実施形態では、要求、切替禁止要求を切替制御部にするときは、それぞれCapsLockキー、ScrollLockキーを連続受信したときであり、連続受信とは、１秒間以内にそれぞれのキーを２回入力することであるが、入力期間が１秒間以内に限定される必要はなく、さらに入力回数が２回に限定される必要もない。
【００９０】
ここで入力するキーは本来の情報機器操作部を切り替える機能は有効であるため、入力した場合に、情報機器操作部の入力モードが変更され、また元の入力モードにもどるために通常は、偶数回入力する。しかし入力モードの変更を回避できるのであれば、入力回数は、偶数回に限定されるものではない。
【００９１】
次に、以上述べた出力切替装置の実施形態から抽出される技術的思想を請求項の記載形式に準じて付記として列挙する。本発明に係る技術的思想は上位概念から下位概念まで、様々なレベルやバリエーションにより把握できるものであり、以下の付記に本発明が限定されるものではない。
【００９２】
（付記１）  複数の情報機器からの入力を選択して出力する出力切替装置において、
前記複数の情報機器の各入力モードの変更を検出する検出部と、
前記検出部により入力モードの変更が検出された情報機器からの入力を選択する選択部と、
前記選択部により選択された入力を出力する出力部を有することを特徴とする出力切替装置。
【００９３】
（付記２）  該検出部で入力モードの変更があった情報機器の出力に切り替え、
該情報機器において、他の種類の入力モードの変更があったとき、他の情報機器に切り替えることを禁止する付記１に記載の出力切替装置。
【００９４】
（付記３）  該検出部は入力モードが複数回、変更した情報機器を検出し、該選択部は該検出部により複数回の変更が検出された情報機器の出力を選択することを特徴とする付記１又は２に記載の出力切替装置。
【００９５】
（付記４）  切替部が、該検出部で入力モードが偶数回変更した情報機器の出力に切り替えること
を特徴とする付記３に記載の出力切替装置。
【００９６】
（付記５）  前記検出部が検出する入力モードの変更は、情報機器のキャプスロック、スクロールロック又は、ナムロックキーの入力によって行われること
を特徴とする付記１乃至４のいずれか１項に記載の出力切替装置。
【００９７】
（付記６）  各情報機器の入力モードの変更を検出する検出部が各情報機器毎に設けられていることを、
特徴とする付記１に記載の出力切替装置。
【００９８】
（付記７）  複数の情報機器の出力を切り替えて出力する出力切替表示装置において、
複数の情報機器を検出し、入力モードが変更された情報機器を通知する検出部と、
通知された該情報機器の出力を選択し、切り替える切替部と、
を有することを特徴とする出力切替表示装置。
【００９９】
（付記８）  複数の情報機器からの入力を選択して出力する出力切替プログラムにおいて、
前記複数の情報機器の各入力モードの変更を検出する検出ステップと、
前記検出部により入力モードの変更が検出された情報機器からの入力を選択する選択ステップと
を実行させる出力切替プログラム。
【０１００】
（付記９）  複数の情報機器からの入力を選択して出力する出力切替プログラムにおいて、
前記複数の情報機器の各入力モードの変更を検出する検出ステップと、
前記検出部により入力モードの変更が検出された情報機器からの入力を選択する選択ステップと
を実行させる出力切替プログラムを記録したコンピュータ読み取り可能な記録媒体。
【０１０１】
（付記１０）  複数の情報機器の出力を切り替えて出力する情報機器切り替えにおいて、
複数の情報機器を検出し、入力モードが変更された情報機器を通知し、
通知された該情報機器の出力を選択し、切り替える出力切り替え方法。
【図面の簡単な説明】
【０１０２】
【図１】従来の出力切替のブロック図
【図２】本発明の実施形態における出力切替のブロック図
【図３】キーボードのステータス信号受信
【図４】本発明の実施形態におけるステータス信号検出プログラムのフローチャート
【図５】本発明の実施形態における切替制御プログラムのフローチャート
【符号の説明】
【０１０３】
１…出力切替装置
２…パーソナルコンピュータ
３…パーソナルコンピュータ
４…パーソナルコンピュータ
５…プロジェクタ
６…キーボード
７…キーボード
８…キーボード
９…キーボード入力端子
１０…外部キーボード入力端子
１１…映像出力端子
１２…映像入力端子
１３…ステータス信号検出部
１４…ステータス信号検出部
１５…ステータス信号検出部
１６…切替制御部
１７…プログラム格納部
１８…プログラム処理部
１９…切替記憶部
２０…映像信号選択部
２１…選択映像出力端子
２２…映像入力端子
２３…出力切替スイッチ
２４…出力切替装置
【図１】
2005078496.tif 000003
【図２】
2005078496.tif 000004
【図３】
2005078496.tif 000005
【図４】
2005078496.tif 000006
【図５】
2005078496.tif 000007